(57)【要約】  ハウジングおよびハウジング内に取り付けた複数のモジュールを備えるテレコミュニケーションアセンブリ。モジュールは後面を備え、前記後面に少なくとも１つの光ファイバコネクタを取り付ける。ハウジングの内部には、少なくとも１つの光ファイバアダプタを配置する。取付位置においてモジュールをハウジングの前方開口部に挿入すると、モジュールのコネクタはハウジングのアダプタへの挿入接続が可能な位置に配置される。取り外し可能なアダプタホルダにハウジング内部のアダプタが取り付けられる。シャーシ内の通信モジュールを取り付ける方法。
2008519309.tif 000002
【特許請求の範囲】
【請求項１】
シャーシおよび前記シャーシ内に取り付けたモジュールを備える通信アセンブリであって、
前記シャーシは、
開口正面を通してアクセス可能な内部空間を画定し、前記開口正面と対向する背面を備えるハウジングと、
前記内部空間内の複数の取付位置と、
前記内部空間内に取り付けられ、前記取付位置の各々に対応する少なくとも１つの光ファイバアダプタとを有し、前記光ファイバアダプタは前記開口正面を望む前方端部と前記背面を望む後端とをそれぞれ有し、前記各端部はそれぞれ光ファイバコネクタを係止するよう構成されており、
前記シャーシはさらに各取付位置にて少なくとも１本の光ファイバアダプタを保持するホルダを有し、前記ホルダは、前記ホルダに取り付けた前記アダプタの後端へのアクセスを可能とするよう前記シャーシの前記開口正面を通して前記内部空間から取り外し可能であり、前記ホルダは、前記開口正面の後側の前記内部空間内に前記アダプタを位置決めし、
前記モジュールは、前記取付位置のうちの１つに取り付けられ、後面を有するハウジングを有し、前記後面には、前記シャーシ内で前記少なくとも１本の光ファイバアダプタを係合する少なくとも１つの光ファイバコネクタを取り付けることを特徴とする通信アセンブリ。
【請求項２】
請求項１の通信アセンブリにおいて、
前記モジュールはさらに、
前記モジュールの前記ハウジング内部に配置された少なくとも１つの光学部品と、
ケーブル出口を有する前面と、
前記後面のコネクタから前記光学部品まで延伸する内部の第１光ファイバケーブル、および前記光学部品から前記前面のケーブル出口まで延伸する少なくとも１本の第２光ファイバケーブルを備えることを特徴とする通信アセンブリ。
【請求項３】
請求項２の通信アセンブリにおいて、
前記モジュール内部の前記第１光ファイバケーブルは、複数の光ファイバストランドを備える多重ファイバケーブルであり、前記光学部品はファンアウトであり、複数の第２光ファイバケーブルは前記光学部品から前記前面のケーブル出口まで延伸し、各第２光ファイバケーブルは、前記第１光ファイバケーブルストランドのうちの１本を備えることを特徴とする通信アセンブリ。
【請求項４】
請求項２の通信アセンブリにおいて、
前記光学部品は光分配器であり、前記第１光ファイバケーブルは、単一のファイバストランドを備え、複数の第２光ファイバケーブルは、前記光学部品から前記前面のケーブル出口まで延伸することを特徴とする通信アセンブリ。
【請求項５】
請求項２の通信アセンブリにおいて、
前記モジュールは、前記後面に１対の光ファイバコネクタを備え、前記ホルダは、前記光ファイバコネクタのうちの１つをそれぞれ受け取る２つの光ファイバアダプタを備え、前記モジュールは１対の光学部品を備えることを特徴とする通信アセンブリ。
【請求項６】
前記モジュールは、前記前面に１対のケーブル出口を備えることを特徴とする請求項２の通信アセンブリ。
【請求項７】
前記ケーブル出口は、前記ケーブル出口を通って延伸する前記少なくとも１つの第２光ファイバケーブルに曲げ半径保護を提供する鐘形部分を備えることを特徴とする請求項２の通信アセンブリ。
【請求項８】
前記モジュールの後面は、前記モジュールハウジングの最後方延長部より前方に位置することを特徴とする請求項２の通信アセンブリ。
【請求項９】
前記モジュールの後面は、前記モジュールハウジングの最後方延長部より前方に位置することを特徴とする請求項１の通信アセンブリ。
【請求項１０】
前記ホルダは、少なくとも前記１つのアダプタを前記シャーシ背面より前方に位置決めすることを特徴とする請求項１の通信アセンブリ。
【請求項１１】
複数のモジュールをさらに備え、各モジュールは前記取付位置のうちの１つに取り付けることを特徴とする請求項１の通信アセンブリ。
【請求項１２】
請求項１１の通信アセンブリにおいて、
前記モジュールはそれぞれ１対の対向した取付フランジを備え、取付位置はそれぞれ、前記モジュールのフランジを係止する１対の対向したスロットを備えていることを特徴とする通信アセンブリ。
【請求項１３】
前記フランジの一方は他方より大きく、前記スロットのうちの１つだけが前記大きなフランジを係止する大きさに形成されていることを特徴とする請求項１２の通信アセンブリ。
【請求項１４】
請求項１の通信アセンブリにおいて、
前記ホルダは前記シャーシ面のうちの１つに隣接して位置し、前記隣接面に沿って前記前方開口部へ向かう前方延長部を備え、前記前方延長部は取り外し可能なファスナによって前記シャーシに取り外し可能に保持されることを特徴とする通信アセンブリ。
【請求項１５】
前記取り外し可能なファスナは、前記ホルダの前方延長部によって係留され、前記シャーシのファスナ開口部内に取り外し可能に係止されるちょうねじであることを特徴とする請求項１４の通信アセンブリ。
【請求項１６】
請求項１の通信アセンブリにおいて、
前記シャーシの取付位置のうちの１つはさらに、前記少なくとも１つの光ファイバアダプタの前記後部へ延伸し係止される光ファイバケーブルを備え、
前記シャーシの前方開口部を通して前記ホルダを取り外すと、前記アダプタの後部内で係止された前記光ファイバケーブルへのアクセスが可能となることを特徴とする通信アセンブリ。
【請求項１７】
請求項１６の通信アセンブリにおいて、
前記シャーシの前方開口部から前記ホルダを取り外すことにより、前記光ファイバアダプタの後部へ延伸する前記光ファイバケーブルにアクセス可能であり、前記光ファイバケーブルを前記アダプタの後部から取り外し、掃除することが可能であり、前記アダプタ内で前記光ファイバケーブルを交換することが可能であり、前記ホルダをシャーシ内で再配置することが可能であることを特徴とする通信アセンブリ。
【請求項１８】
前方開口部とモジュール取付位置を備えるシャーシを提供し、前記シャーシ内部の前記モジュール取付位置に、前記前方開口部からアクセス可能にホルダを配置し、前記ホルダは光ファイバアダプタを、前記アダプタの後部で光ファイバケーブルのコネクタを係止するように保持し、さらに、前記取付位置で取り付けるのに適したモジュールを提供し、前記モジュールは光ファイバコネクタを有する後面を備え、
前記前方開口部を通して前記シャーシの内部から前記ホルダおよび前記光ファイバアダプタを取り外し、
前記アダプタの後部から前記光ファイバケーブルのコネクタを取り外し、前記光ファイバケーブル内の光ファイバの終端面を点検し、
前記アダプタの後部内で前記光ファイバケーブルのコネクタを再配置し、
前記取付位置にて前記ホルダを前記シャーシ内に再配置し、
前記取付位置にて前記前方開口部から前記モジュールを前記シャーシ内に挿入し、前記アダプタの前面を前記モジュールの後面の前記コネクタと係合する、
各工程を含むことを特徴とするシャーシ内にモジュールを取り付ける方法。
【請求項１９】
請求項１８の方法において、
１対の対向スロットを有する前記取付位置および１対のフランジを有する前記モジュールをさらに提供し、前記フランジの一方は他方より大きく、スロットのうちの１つだけを前記大きなフランジを係止する大きさに形成し、
前記方法はさらに、
前記シャーシの前方開口部から前記モジュールを挿入する前に、前記モジュールの前記より大きなフランジと、前記より大きなフランジを係止する大きさに形成した前記取付位置のスロットとの位置合わせを行う工程を備えることを特徴とする方法。
【請求項２０】
内部を画定し、第１と第２の対の対向面、前面、後面、および前面から離れた背面を備えるハウジングと、
前記ハウジング面の１つに隣接し、前記ハウジングの背面に略対向して配置した前記後面と、
前記ハウジングの第１と第２の対の対向面両面から延伸する取付フランジと、
前記後面に取り付け、前記ハウジングを後方へ移動することにより対応するアダプタへ差し込まれるよう配置し、前記ハウジングの前面と背面の間に配置した端部を有する少なくとも１つの光ファイバコネクタと、
前記ハウジングの前面に配置したケーブル出口と、
前記後面の少なくとも１つの光ファイバコネクタから前記ハウジング内部に取り付けた光学部品まで延伸する前記ハウジング内部の第１光ファイバケーブルと、
前記光学部品から前記前面のケーブル出口まで延伸する前記ハウジング内の第２光ファイバケーブルとを備えることを特徴とする通信モジュール。
【請求項２１】
前記ケーブル出口は、前記前面から伸びる鐘形外部延長部を備えることを特徴とする請求項２０の通信モジュール。
【請求項２２】
前記ハウジングは前記前面に隣接して延伸する可撓ラッチングタブを備えることを特徴とする請求項２０の通信モジュール。
【請求項２３】
前記ハウジングの後面は前記ハウジングによって画定されたくぼみに隣接して配置されることを特徴とする請求項２０の通信モジュール。
【請求項２４】
一方のフランジが、他方のフランジより前記隣接面から実質的にさらに延伸していることを特徴とする請求項２０の通信モジュール。
【請求項２５】
内部を画定し、第１と第２の対の対向面、前面、後面、および前面から離れた背面を備えるハウジングと、
前記ハウジングの背面に略対向して配置した前記後面、および、
前記前面と前記背面の間に伸びるモジュール軸と平行に伸びるコネクタ縦軸を有する光ファイバコネクタを保持するための少なくとも１つのコネクタホルダ位置を画定する前記後面を備え、前記コネクタの端部を、前記ハウジングによって画定された前記内部の外側に配置し、
前記前面と前記背面間の位置に配置した前記後面と、
前記ハウジングによって画定された前記内部と送受信するケーブル出口位置とを備える前記前面を備えることを特徴とする通信モジュール。
【請求項２６】
前記ケーブル出口は、前記前面から伸びる鐘形外部延長部を備えることを特徴とする請求項２５の通信モジュール。
【請求項２７】
前記ハウジングは前記前面に隣接して延伸する可撓ラッチングタブを備えることを特徴とする請求項２５の通信モジュール。
【請求項２８】
前記ハウジングの後面は前記ハウジングによって画定されたくぼみに隣接して配置されることを特徴とする請求項２５の通信モジュール。
【請求項２９】
第１長手方向に延伸するファスナを保持するファスナホルダ、前記第１長手方向と平行にファスナホルダから延伸する縦フランジ、および縦フランジから延伸しアダプタ位置を画定する本体、を画定する隔壁と、
前記隔壁の本体のアダプタ位置に配置した複数のアダプタ対応部品を備えるアダプタモジュールであって、前記アダプタ対応部品は、２つのコネクタ間の光信号送信のために前記コネクタを接続するよう構成し、前記２つのコネクタは、各アダプタ対応部品により前記第１長手方向と平行な方向に配列されることを特徴とするアダプタモジュール。
【請求項３０】
さらに前記ファスナホルダ内にファスナを備えることを特徴とする請求項２９のアダプタモジュール。
【請求項３１】
前記複数のアダプタ対応部品を前記第１長手方向と交差する方向に配列することを特徴とする請求項２９のアダプタモジュール。
【請求項３２】
各アダプタ対応部品を覆うよう配置した可動シャッタをさらに備えることを特徴とする請求項２９のアダプタモジュール。
【請求項３３】
第１主要面、第２主要面、および両主要面間に延伸する一対の対向側面を有し、前方開口部と前記前方開口部と対向する背面により内部を画定するハウジングと、
前記側面の１つと略平行になるよう前記前方開口部から挿入する通信モジュール用に設定した複数の取付位置を備える通信シャーシにおいて、
各取付位置にアダプタホルダを有し、
前記各アダプタホルダは、前記ハウジングの内部に取り外し可能に取り付けられ、少なくとも１つの光ファイバアダプタを有し、前記各光ファイバアダプタは前方端部と後方端部を有し、前記各端部は、対応光ファイバコネクタを係止するように構成され、
前記各アダプタホルダは、前方開口部から背面に向かって側面に対して略並行に挿入される前記対応光ファイバコネクタを係止するように前記少なくとも１つの光ファイバアダプタの向きを設定し、
前記各アダプタホルダは、前記ハウジング内部の前記前方開口部の後方かつ前記背面より前方の位置で前記少なくとも１つの光ファイバアダプタを保持するように配置され、それにより対応ファイバコネクタを有する光ファイバケーブルを、前記少なくとも１つの光ファイバアダプタの前記後方端部に案内挿入することが可能であり、
前記各アダプタホルダは、前記前方開口部を通して前記ハウジング内部から取り外し可能なため、前記内部の外側において前記少なくとも１つの光ファイバアダプタの後方端部にアクセス可能であることを特徴とする通信シャーシ。
【請求項３４】
前記各アダプタホルダを前記ハウジングへ着脱可能なファスナをさらに備える請求項３３の通信シャーシ。
【請求項３５】
前記各アダプタホルダを前記ハウジングから着脱するための縦長取り付け台をさらに備える請求項３４の通信シャーシ。
【請求項３６】
前記各アダプタホルダを前記ハウジングから着脱するための縦長取り付け台をさらに備える請求項３３の通信シャーシ。
【発明の詳細な説明】
【技術分野】
【０００１】
本発明は、主に光ファイバ通信装置に関する。より具体的には、本発明は、光ファイバモジュール、および光ファイバモジュールを保持するためのシャーシに関する。
【背景技術】
【０００２】
光ファイバ通信システムでは一般的に、シングルストランドケーブルが伝送する信号を光学的に分配するか、あるいはマルチストランドケーブル(multi-strand cable)の各ファイバをファンアウトすることにより送信ケーブルの光ファイバを分配する。さらに、そのようなシステムを設置する場合、設置に際してファイバの将来的な拡張と利用に対応するため、余剰容量の確保は公知である。このような設置ではしばしば、分配器またはファンアウトを備えるモジュールを使用して送信ファイバと利用者ファイバ間の接続を確立する。初期導入にかかる費用とそれに伴う煩雑性を減少し、かつ将来的な拡張を可能とするため、上記導入において複数のモジュールを取り付け可能なモジュール取付シャーシを使用してもよい。
【発明の開示】
【発明が解決しようとする課題】
【０００３】
シャーシにはいくつかのモジュールを取り付けることが可能であるが、初期導入ではより少数のモジュール、すなわち現行のニーズに答えるのに十分な数のモジュールのみを取り付けてもよい。シャーシは１面またはそれ以上の面への制限付きアクセスを可能とするように構成することも可能であるし、狭い場所での取付を可能とするよう構成することもできる。さらに、将来的に取り付けが予測されるモジュールの取り付け、接続を実現するために、シャーシのうちのいくつかは送信ケーブルの最大許容量に対応するよう事前構成してもよい。新しいモジュールの取り付け時にシャーシ内の部品にアクセスして掃除ができることが望ましいので、コネクタ付きの取付済み送信ケーブルのコネクタにユーザがアクセスして掃除が可能となるような条件、すなわち特徴をシャーシに与えることが望ましい。
【０００４】
また、他のコネクタ付きの実装済み送信ケーブルとの接続のため、モジュールが正確に取り付けられ、シャーシ内の他の部品との位置合わせが確実に行われるようにシャーシを構成することが望ましい。
【課題を解決するための手段】
【０００５】
本発明は、ハウジングおよびハウジング内に取り付けた複数のモジュールを備える通信アセンブリに関する。モジュールは後面を備え、前記後面に少なくとも１つの光ファイバコネクタを取り付ける。ハウジングの内部には、少なくとも１つの光ファイバアダプタを配置する。取付位置においてモジュールをハウジングの前方開口部に挿入すると、モジュールのコネクタはハウジングのアダプタへの挿入接続が可能な位置に配置される。ハウジング内部のアダプタを取り外し可能なアダプタホルダに取り付ける。本発明は、さらにシャーシ内に通信モジュールを取り付ける方法に関する。
【発明を実施するための最良の形態】
【０００６】
本明細書に組み込まれ、その一部を構成する添付の図面により、本発明のいくつかの態様を図示し、詳述な説明と共に本発明の本質について説明する。
【０００７】
以下において、添付の図面において図示した本発明の典型的な態様を詳細に説明する。図面全体にわたって、可能な限り同様の部品には同様の参考番号を付す。
【０００８】
図１は複数のモジュール１４を取り付けるための取付位置１２を有する通信アセンブリ１０を示す。アセンブリ１０は、シャーシつまりハウジング１６を備え、ハウジング１６は第１主要面１８、第２主要面２０、および第１第２主要面間に伸びる一対の対向側面２２を有する。互いの略反対方向に伸びる取付フランジ２４を各主要面に取り付けてもよい。主要面の１つに第２の、つまり代替取付フランジ２６を取り付けることにより、特定のサイズまたは形状の装置ラックやキャビネットへのハウジング１６の取り付け、あるいは異なるタイプの取付オプションを提供することができる。
【０００９】
ハウジング１６は、ハウジング１６の内部３０（図７参照）内にモジュール１４を差し込むための前方開口部２８を備える。内部３０内に人がアクセスできるように、側面２２に開口部３２を設けてもよい。開口部３２の周囲には保護パッド３４を設けて、開口部３２の１つから手を内部３０へ差し入れる際に擦り傷やその他の怪我の発生を防止する。図１の開口部３２内に図示されているものは、前方開口部２８内に取り付けたモジュール１４の１つのハウジング４０である。必要に応じて、通信設備にハウジング１６を取り付けるのためのファスナ開口部３６を、フランジ２４および２６に設けてもよい。
【００１０】
図２において、モジュール１４はそれぞれ、第２主要面２０に隣接した止め４２を取り外し可能に備える。以下に図１０を参照して説明するように、止め４２は、ハウジング１６の一部と係合して前方開口部２８内のモジュール１４を保持すると共に、たわむことにより、モジュール１４をハウジング１６から引き出せるようになっている。モジュール１４はそれぞれ、前面４６から突出した１つ以上のケーブル出口４４を備えていてもよい。図１０を参照して後述するように、ケーブル出口４４により、モジュール１４内の通信ケーブルをモジュール１４から導出することができる。図２に示すように、モジュール１４の前面４６は前方開口部２８に対して傾斜しており、傾斜していることにより、モジュール１４から導出されたケーブルの通信設備内の希望の場所への配設を容易にする。本実施形態の範囲において、前面４６は前方開口部２８において側面２２の先端３８と略平行にすることも可能であると思われる。
【００１１】
図３において、モジュール１４は、それぞれ対応するサイズのスロット５２および５４に係止される長さが不均一なフランジ４８および５０をそれぞれ備えている。フランジ４８とスロット５２は、フランジ５０とスロット５４よりも小さい。スロット５２内に、フランジ４８は受容されるが、より大きなフランジ５０は受容されないような大きさに形成する。これにより、モジュール１４を特定の所望の姿勢で確実に前方開口部２８内に配置することができる。同様のフランジが公有米国特許５，３６３，４６５号で開示されており、その内容をここに示す。ちょうねじ５８によって前方開口部２８内に取り外し可能に保持したアダプタホルダ５６は、各取付位置１２にてラッチ４２と反対側のハウジング１６に取り付けられる。以下、図９〜１６を参照してアダプタホルダ５６について詳細に説明する。
【００１２】
図４および５において、ハウジング１６はさらに前方開口部２８の反対側に背面６０を備えており、背面６０は実質的にハウジング１６の後部を閉鎖している。ケーブルの配線または通風のために背面６０に開口部を設けてもよいが、ユーザのハウジング１６の内部３０へのアクセスは、前方開口部２８の使用を前提とする。図６に示すように、ハウジング１６からのモジュール１４の取り外しを容易にするため、モジュール１４の一端に縁またはつまみ６２を備えてもよい。つまみ６２は、好ましくはモジュール１４のラッチ４２と反対側に配置する。これにより、ユーザは指または手で対抗する力を加えることによりモジュールをしっかり掴んでハウジング１６から取り出すことができる。
【００１３】
図７において、モジュール１４のラッチ４２は、前方開口部２８内の適所にモジュール１４を保持するために取付位置１２の端縁６４と係合するくぼみ部６６を備えている。ラッチ４２の端末部付近にくぼみ部６６を形成し、可撓部６８をくぼみ部６６からモジュール１４の第１面７０との接続点まで伸長する。可撓部６８は弾力的に変形可能なため、ユーザはラッチ４２を反らせてくぼみ部６６を端縁６４から外すことによりモジュール１４をハウジング１６から取り外したり、あるいはモジュール１４を前方開口部２８へ差し込んで端縁６４と係合する際にラッチ４２を反らせることができる。モジュール１４は、第２対向面７２および背面７８を備える。差込面部７４により第２面７２に中間後面７６を形成する。一対の光ファイバコネクタ８０を後面７６に配置し、ハウジング１６の内部３０でアダプタホルダ５６に取り付けた光ファイバアダプタと接続する。
【００１４】
モジュールハウジング４０はまた、第１面７０、第２面７２、背面７８および前面４６間に伸びる第１側面８２を備える。第２側面８４は、前面４６と背面７８間のモジュールハウジング４０の反対面を封鎖するが、面７０および７２を超えて伸長することによりフランジ４８および５０（フランジ５０は図７では図示せず）を形成する。図８では、フランジ５０は、モジュール１４の面７０から伸びる第２側面８４の延長部として確認することができる。モジュールハウジング４０は、面７０、７２および背面７８間に曲線遷移部８６を備えていてもよい。遷移部８６は、内部３０内のケーブルをアダプタ８８へと伸ばすときに、ケーブルの曲げ半径保護を提供するよう形成してもよい。あるいは、面７０、７２は、モジュールハウジング４０内に部品を配置する必要性、およびモジュールハウジング４０の製造効率に依存して、背面７８で直接終端してもよい。
【００１５】
図９は、アダプタホルダ５４を内部３０から外側へ展開したアセンブリ１０を示す。ホルダ５４は、モジュール１４のコネクタ８０と係合する一対のアダプタ８８を保持し、その位置決めを行う延長部８６を備える。アダプタ８８はそれぞれ第１または後方端部９０、および第２または前方端部９２を備え、この第１および第２端部は光ファイバケーブルの終端となる光ファイバコネクタを係止するように構成される。
【００１６】
図１０はアセンブリ１０の横断面を示しており、第１ケーブル９４はコネクタ８０から、モジュールハウジング４０の内部９６に実装された光学部品９８へと延伸している。光学部品９８としては、分配器やファンアウト、または他の種類の光学的に有意の要素がある。第１ケーブル９４は、複数の光ファイバストランドを備えたマルチストランド光ファイバケーブルであってもよく、光学部品９８は、各ケーブルストランドを複数の第２ケーブル１００に分配するファンアウトであってもよい。第２ケーブル１００は、光学部品９８からケーブル出口４４へ延伸する。あるいは、第１ケーブル９４を、一本のファイバで構成し、その信号を分配器である光学部品９８で分配してもよく、また、第１ケーブル９４の信号の一部を伝送する複数の第２ケーブル１００を、ケーブル出口４４まで延伸してもよい。光ファイバの配置およびケーブル出口４４における外装は、公有米国特許出願番号１０／６５８，８０２に開示されており、その内容をここに示す。
【００１７】
外部ケーブル１０２はアダプタ８８の後方端部９０へ延伸し、コネクタ１０４によって終端してもよい。コネクタ１０４を、後方端部９０で係止してモジュール１４のコネクタ８０に光学的に接続してもよい。ケーブル１０２は、ハウジング１６における面１８、２０、あるいは２２のうちの１つの面に設けた開口部を通じてハウジング１６の内部３０から延伸してもよい。
【００１８】
図１１のアセンブリ１０において、１つのモジュールを取付位置１２から取り外し、その取付位置１２に代替アダプタホルダ１５４を設けている。ホルダ１５４は、アダプタ８８の第２端９２の前方にシールド１０８を備える。設備によっては、ハウジング１６を取り付けて、取付位置１２に当該モジュール１４を配置する前に、ケーブル１０２をアダプタ８８の第１端９０に導いて接続してもよい。ケーブル１０２が発光して送信信号を送信する際に、シールド１０８により、目や他の感覚器官、あるいは近くにある通信装置が、この信号に偶発的に晒されることによって損傷を受けるのを防ぐ。
【００１９】
図１２では、ホルダ１５４は延長部８６に開口部１２４を備え、この開口部によりアダプタ８８を取り付ける。ちょうねじ５６は前方フランジ１１４を通って延伸し、１対の壁面係合フランジ１１６が隣接した前方フランジ１１４から後方に向かって延伸している。あるいは、ホルダ５４あるいは１５４のちょうねじ５６に代えて、スナップ嵌合手段、直角掛けファスナ、スウェルラッチ(swell latches)などの開閉可能な機構を使用してもよい。スロット１１８は、各フランジ１１６の前方端および前方フランジ１１４の間に配置される。フランジ１１６の後方端部に一対の壁スロット１２０を設ける。図１０に示すように、内部壁１１０は、内部３０内の第１表面１８より内側寄りに位置する。壁スロット１２０は、内部壁１１０の両面に沿って延伸する。第１表面１８の内向きの前方端１１２は、スロット１１８と係合する。ハウジング１６とホルダ１５４間の係合により、内部３０内の内部壁１１０とかみ合う位置にアダプタが正確に配置され、コネクタ８０がモジュール１４の後面７６に係合される。アダプタ８８を前方開口部２８と背面６０間の内部３０内に正確に配置するため、中央部材１２２を、前方フランジ１１４から壁フランジ１１６間を延長部８６まで延伸する。
【００２０】
図１３〜１６において、ホルダ１５４の延長部８６は、アダプタ８８を延長部８６へ取り付けるための複数のファスナ開口部１２４を備える。アダプタ８８を確実に取り付けるため、ファスナ１２６をアダプタ８８の横側フランジ１２８を通して延伸してもよい。アダプタ８８はＳＣスタイルコネクタとして図示しているが、本実施形態の範囲内において、その他の種類、形状および形式のアダプタを使用してもよく、コネクタ８０および１０４はこれらの代替アダプタに対応して変更してもよい。各アダプタ８８内には、割りスリーブ１３０のようなアライメント装置を設け、フェルール(ferrule)において終端し、コネクタ８０および１０４によって保持された光ファイバを正確に位置決めする。そのようなアライメント装置および終端フェルールは当業分野において広く知られている。
【００２１】
図１５のように、横から見らた場合、シールド１０８は湾曲しており、これにより、前方開口部２８を通って内部３０へモジュール１４を差し込むとき、モジュール１４によりシールド１０８がたわむため、コネクタ８０をアダプタ８８と接続することができる。モジュール１４を取付位置１２から外すとき、図１５に示す位置へ戻るような弾力のある変形可能材料でシールド１０８を構成するのが好ましい。ねじ１３２のような一対のファスナによりシールド１０８を中央部材１２２に接続してもよい。あるいは、ホルダ１５４と一体に形成したり、点溶接固着あるいは他の固着技術によりホルダ１５４にシールド１０８を接続することもできる。図示のとおり、取付位置１２に取り付けたどんなモジュール１４も後方へアクセスできないように後部６０がハウジング１６の後部を閉鎖しているため、各アダプタ８８の第１端９０から出る光を遮断するために第２シールド１０８を設ける必要はない。しかしながら、モジュール１４あるいはハウジング１６内に感知機器を取り付ける場合、アダプタ８８の第１面９０を閉鎖する第２シールド１０８を設けることが望ましい。
【００２２】
取付位置１２のうちの１つにおいてモジュール１４をハウジング１６内へ挿入する際、まずちょうねじ５６を取り外し、前方開口部２８を通してホルダ５４あるいは１５４を内部３０から引き出す。開口部２８からアダプタ８８を引き抜くことができるように、ケーブル１０２は内部３０内に十分な余剰長さあるいは緩みを備えるのが好ましい。一旦内部３０から引き出したら、ケーブル１０２のコネクタ１０４をアダプタ８８の第１端９０から取り外して、ケーブル１０２内の光ファイバの研磨終端面の清掃を行うことができる。その後、第１端９０にコネクタ１０４を再挿入することができる。ホルダ５４あるいは１５４を内部３０に再挿入してホルダと内部壁１１０および内部に湾曲した延長部１１２を係合し、ちょうねじ５６を再固定することができる。前方開口部２８へモジュール１４を挿入すると、モジュール１４のハウジング１６とアダプタ８８への接続が開始される。モジュール１４を差し込むと、フランジ４８および５０がスロット５２および５４とそれぞれ係合する。コネクタ８０がアダプタ８８の第２端９２に近づくと、コネクタ８０および第２面７２の一部が係合してシールド１０８（存在する場合）がたわむ。モジュール１４をさらに挿入すると、コネクタ８０がアダプタ８８と接触し、コネクタ８０は第２端９２により係止される。モジュール１４を挿入すると、ラッチ４２が内側にたわみ、その後元に戻るため、端縁６４がくぼみ部６６と係合する。こうして、モジュール１４が取付位置１２において前方開口部２８および内部３０内に実装され、この所定位置にて、ケーブル１０２からの信号を処理し、モジュール内部９６内の第１ケーブル９４、光学部品９８および第２ケーブル１００を通して送信する。
【００２３】
上述の明細書、例およびデータは、本発明の製造および使用に関する完全な説明を提供している。本発明の精神および範囲から逸脱することなく多くの実施の形態を得ることが可能であり、本発明は添付の特許請求の範囲内に含まれる。
【図面の簡単な説明】
【００２４】
【図１】図１は、前方開口部を通って取り付けられた複数の光ファイバモジュールを有する通信アセンブリの正面斜視図である。
【図２】図２は、対向面から見た図１の通信アセンブリの正面斜視図である。
【図３】図３は、図１の通信アセンブリの正面図である。
【図４】図４は、図１の通信アセンブリの上面図である。
【図５】図５は、図１の通信アセンブリの背面図である。
【図６】図６は、図１の通信アセンブリの側面図である。
【図７】図７は、図１の通信アセンブリの正面斜視図であり、モジュールのうちの１つをアセンブリから展開し、取付フランジをシャーシの上面および底面から取り外した状態を示す。
【図８】図８は、図７の通信アセンブリの後部斜視図である。
【図９】図９は、図７の通信アセンブリの側面図であり、光ファイバアダプタホルダをアセンブリから展開した状態を示す。
【図１０】図１０は、アセンブリ内に取り付けたモジュールのうちの１つの中心に沿った図１の通信アセンブリの側面断面図である。
【図１１】図１１は、図１の通信アセンブリの正面図であり、モジュールのうちの１つを取り外してアセンブリの内部に取り付けたアダプタホルダを図示している。
【図１２】図１２は、アセンブリから取り外された図１１のアダプタホルダの正面斜視図である。
【図１３】図１３は、図１２のアダプタホルダの正面図である。
【図１４】図１４は、図１２のアダプタホルダの背面図である。
【図１５】図１５は、図１２のアダプタホルダの側面図である。
【図１６】図１６は、図１２のアダプタホルダの上面図である。
【図１】
2008519309.tif 000003
【図２】
2008519309.tif 000004
【図３】
2008519309.tif 000005
【図４】
2008519309.tif 000006
【図５】
2008519309.tif 000007
【図６】
2008519309.tif 000008
【図７】
2008519309.tif 000009
【図８】
2008519309.tif 000010
【図９】
2008519309.tif 000011
【図１０】
2008519309.tif 000012
【図１１】
2008519309.tif 000013
【図１２】
2008519309.tif 000014
【図１３】
2008519309.tif 000015
【図１４】
2008519309.tif 000016
【図１５】
2008519309.tif 000017
【図１６】
2008519309.tif 000018
【国際調査報告】
2008519309.tif 000019
2008519309.tif 000020